【手続補正書】
【提出日】平成28年4月25日(2016.4.25)
【手続補正１】
【補正対象書類名】特許請求の範囲
【補正対象項目名】全文
【補正方法】変更
【補正の内容】
【特許請求の範囲】
【請求項１】
加湿装置であって、
ある量の液体を保持するように構成された加湿チャンバを備え、この加湿チャンバが、
少なくとも１つの側壁と、
前記少なくとも１つの側壁に接続された上壁と、
前記少なくとも１つの側壁に接続された下壁と、
前記少なくとも１つの側壁および前記上壁によって少なくとも部分的に画成されているキャビティと、
前記上壁から延在するとともに前記上壁を通り前記加湿チャンバの前記キャビティ内への通路を画成する入口ポートと、
前記上壁から延在するとともに前記上壁を通り前記加湿チャンバの前記キャビティから出る通路を画成する出口ポートと、
前記上壁のインターロック特徴であって、ヒーターベースの対応するインターロック特徴とかみ合って前記ヒーターベース上へ前記チャンバの挿入を案内するように構成されているインターロック特徴と、
を含んでいる、加湿装置。
【請求項２】
前記チャンバの前記インターロック特徴および前記ヒーターベースの前記対応するインターロック特徴は、所望の回転方向の向きにおいて前記ヒーターベース上へ前記チャンバの挿入を案内する、請求項１に記載の加湿装置。
【請求項３】
前記チャンバの前記インターロック特徴は凹部を含み、前記ヒーターベースの前記対応するインターロック特徴は突起を含んでいる、請求項２に記載の加湿装置。
【請求項４】
前記チャンバの前記インターロック特徴は突起を含み、前記ヒーターベースの前記対応するインターロック特徴は凹部を含んでいる、請求項２に記載の加湿装置。
【請求項５】
前記入口ポートは第１センサーアパーチャを含み、前記第１センサーアパーチャは前記ヒーターベースに取り付けられた第１センサーを受け入れるように構成され、前記出口ポートは第２センサーアパーチャを含み、前記第２センサーアパーチャは前記ヒーターベースに取り付けられた第２センサーを受け入れるように構成されている、請求項１に記載の加湿装置。
【請求項６】
前記第１および第２センサーアパーチャに配置されたグロメットを更に含み、前記グロメットは前記第１および第２センサーアパーチャを空気圧的に封止し、前記グロメットは前記第１および第２センサーを収容するようなサイズおよび形状にされ、前記グロメットは、前記第１および第２センサーが洗浄せずに再使用できるように、前記第１および第２センサーが前記チャンバに対して出入りするガスと直接接触しないようにする、請求項５に記載の加湿装置。
【請求項７】
前記加湿チャンバの前記少なくとも１つの側壁と前記上壁の少なくとも一方が、前記加湿チャンバの前側および前記加湿チャンバの後側を画成する特徴を有し、前記チャンバは前記チャンバの後側において短い鉛直高さを有しかつに前記チャンバの前側において高い鉛直高さを有し、これにより前記チャンバが前記ヒーターベースに後方に設置される可能性を低下させる、請求項１に記載の加湿装置。
【請求項８】
前記ヒーターベースはセンサーカートリッジモジュールを含み、前記センサーカートリッジモジュールは前記ヒーターベースの前記インターロック特徴を含み、前記チャンバの前記インターロック特徴は前記センサーカートリッジモジュール上の前記インターロック特徴とかみ合って前記チャンバの前記センサーカートリッジモジュールに対する接続を案内するように構成されている、請求項１に記載の加湿装置。
【請求項９】
前記チャンバの前記インターロック特徴は雄型突出部を含み、前記ヒーターベースの前記インターロック特徴は前記センサーカートリッジモジュールに凹部を含んでいる、請求項８に記載の加湿装置。
【請求項１０】
前記チャンバの前記インターロック特徴は雌型凹部を含み、前記ヒーターベースの前記インターロック特徴は前記センサーカートリッジモジュール上に中心雄型突出部を含み、前記雌型凹部は前記ヒーターベース上へ前記チャンバの挿入を単独の所望の向きにおいて案内するように構成されている、請求項８に記載の加湿装置。
【請求項１１】
加熱板とインターロック特徴とを含むヒーターベースと、
ある量の液体を保持するようい構成された加湿チャンバと、
を含む加湿装置であって、
前記加熱板は前記加湿チャンバを支持するように構成されており、
前記加湿チャンバは、
少なくとも１つの側壁と、
前記少なくとも１つの側壁に接続された上壁と、
前記少なくとも１つの側壁および前記上壁によって少なくとも部分的に画成されているキャビティと、
前記上壁から延在するとともに前記上壁を通り前記加湿チャンバの前記キャビティ内への通路を画成する入口ポートと、
前記上壁から延在するとともに前記上壁を通り前記加湿チャンバの前記キャビティから出る通路を画成する出口ポートと、
前記上壁のインターロック特徴であって、前記ヒーターベースの上の前記インターロック特徴とかみ合って前記ヒーターベース上へ前記チャンバの挿入を案内するように構成されているインターロック特徴と、
を含んでいる、加湿装置。
【請求項１２】
前記チャンバの前記インターロック特徴および前記ベースのインターロック特徴は、所望の回転方向の向きにおいて前記ヒーターベース上へ前記チャンバの挿入を視覚的かつ物理的に案内する、請求項１１に記載の加湿装置。
【請求項１３】
前記チャンバの前記インターロック特徴は凹部を含み、前記ヒーターベースの前記対応するインターロック特徴は突起を含んでいる、請求項１２に記載の加湿装置。
【請求項１４】
前記チャンバの前記インターロック特徴は突起を含み、前記ヒーターベースの前記対応するインターロック特徴は凹部を含んでいる、請求項１２に記載の加湿装置。
【請求項１５】
前記ヒーターベースは第１および第２のセンサーを更に含み、前記第１および第２センサーは前記加熱板よりも垂直方向に高い位置に位置決めされ、前記入口ポートは前記ヒーターベースに取り付けられた第１センサーを受け入れるように構成されている第１センサーアパーチャを有し、前記出口ポートは前記ヒーターベースに取り付けられた第２センサーを受け入れるように構成されている第２センサーアパーチャを有する、請求項１１に記載の加湿装置。
【請求項１６】
前記第１および第２のセンサーが前記入口ポートおよび出口ポートの前記第１および第２センサーアパーチャに所望の深さにおいて収容されるように、前記チャンバの前記インターロック特徴および前記ヒーターベース上の前記インターロック特徴はかみ合って前記ヒーターベース上へ前記チャンバの挿入を案内するように構成されている、請求項１５に記載の加湿装置。
【請求項１７】
前記ヒーターベースは前記第１および第２センサーを含むセンサーカートリッジモジュールを更に含む、請求項１５に記載の加湿装置。
【請求項１８】
前記センサーカートリッジモジュールは前記ヒーターベースの前記インターロック特徴を含む、請求項１７に記載の加湿装置。
【請求項１９】
前記チャンバの前記インターロック特徴は雄型突出部を含み、前記ヒーターベースの前記インターロック特徴は前記センサーカートリッジモジュールに凹部を含んでいる、請求項１８に記載の加湿装置。
【請求項２０】
前記チャンバの前記インターロック特徴は雌型凹部を含み、前記ヒーターベースの前記インターロック特徴は前記センサーカートリッジモジュール上に中心雄型突出部を含む、請求項１８に記載の加湿装置。
【請求項２１】
前記第１および第２センサーアパーチャに配置されたグロメットを更に含み、前記グロメットは前記第１および第２センサーアパーチャを空気圧的に封止し、前記グロメットは前記第１および第２センサーを収容するようなサイズおよび形状にされ、前記グロメットは、前記第１および第２センサーが洗浄せずに再使用できるように、前記第１および第２センサーが前記チャンバに対して出入りするガスと直接接触しないようにする、請求項１５に記載の加湿装置。
【請求項２２】
前記加湿チャンバの前記少なくとも１つの側壁と前記上壁の少なくとも一方が、前記加湿チャンバの前側および前記加湿チャンバの後側を画成する特徴を有し、かつ前記ヒーターベース上へ前記チャンバの挿入を案内するように構成されている、請求項１１に記載の加湿装置。
【請求項２３】
前記チャンバは前記チャンバの後側において短い鉛直高さを有しかつに前記チャンバの前側において高い鉛直高さを有し、これにより前記チャンバが前記ヒーターベースに後方に設置される可能性を低下させる、請求項２２に記載の加湿装置。